(57)【要約】【課題】ランプユニットを交換する際に、作業者がプロジェクタから取り外して任意の場所に置いても、ランプユニットが置かれた場所に高温のランプが接触する事態が発生することを抑制できるランプユニットを提供する。【解決手段】ランプユニット１０は、ランプ１００と、ランプ１００を保持するランプホルダ１０２，１０３と、ランプユニット１０をプロジェクタから取り外す際に使用される取手部１０８と、ランプユニット１０を下方から支持する支持部２５１，２５２とを備えている。支持部２５１，２５２は、ランプユニット１０の前側でランプユニット１０を支持する前側支持部２５１と、ランプ１００の後方に設けられ、ランプユニット１０を前方から正面視した場合にランプ１００の外周よりも外側に位置する先端でランプユニット１０を支持する後側支持部２５２とを有する。【選択図】図２
2013011878.tif 000002
【特許請求の範囲】
【請求項１】
プロジェクタに着脱可能に設けられるランプユニットであって、
プロジェクタの光源として機能するランプと、
前記ランプを保持するランプホルダと、
前記ランプホルダに一体化され、当該ランプユニットをプロジェクタから取り外す際に使用される取手部と、
プロジェクタから取り外した当該ランプユニットを置くために使用され、当該ランプユニットを下方から支持する支持部とを備え、
前記支持部は、当該ランプユニットの前側で該ランプユニットを支持する前側支持部と、前記ランプの後方に設けられ、当該ランプユニットを前方から正面視した場合に前記ランプの外周よりも外側に位置する先端で当該ランプユニットを支持する後側支持部とを有する
ことを特徴とするランプユニット。
【請求項２】
前記後側支持部は、前記ランプのバルブの取付孔の部位を遮蔽するように設けられていることを特徴とする請求項１に記載のランプユニット。
【請求項３】
前記支持部は、３個以上の突起部により当該ランプユニットを支持することを特徴とする請求項１に記載のランプユニット。
【請求項４】
前記取手部は、前記ランプホルダに対して着脱自在であることを特徴とする請求項１に記載のランプユニット。
【請求項５】
前記ランプホルダに固定され、当該ランプユニットがプロジェクタに取り付けられた状態で該プロジェクタの外装面の一部を構成するランプ蓋をさらに備え、
前記取手部は、前記ランプ蓋に固定され又は形成されていることを特徴とする請求項１に記載のランプユニット。
【請求項６】
前記ランプホルダは、前記ランプを保持するホルダ本体が耐熱性樹脂または金属材料で構成され、前記ホルダ本体から後方に延びて前記ランプの外周面に対面する対面部が、耐熱性樹脂で構成されたことを特徴とする請求項１に記載のランプユニット。
【請求項７】
前記支持部は、３個以上の突起部により当該ランプユニットを支持し、
前記ランプホルダのホルダ本体に少なくとも１個以上設けられた前記突起部は、プロジェクタにおける当該ランプユニットの設置箇所に設けられた基準穴に挿入される基準ピンとして機能することを特徴とする請求項１に記載のランプユニット。
【発明の詳細な説明】
【技術分野】
【０００１】
本発明は、プロジェクタの光源となるランプユニットに関し、特にプロジェクタに着脱可能に構成されたランプユニットに関するものである。
【背景技術】
【０００２】
従来から、プロジェクタに着脱可能に構成されたランプユニットが知られている。たとえば、プロジェクタは、光源部を有するランプユニットと、ランプユニットから出射された光を平行にする照明光学系と、平行光を画像情報に応じて変調して画像投影光を生成する画像表示系と、画像投影光をスクリーンに投影するための投射レンズを有する投射光学系とを有している。
【０００３】
光源部には、ランプが用いられる。そのランプは、使用時間に応じて輝度が劣化してしまうため、ある程度の時間が経過すると交換する必要がある。特許文献１には、照明光学系に対して分離可能なプロジェクタの光源装置が記載されている。
【先行技術文献】
【特許文献】
【０００４】
【特許文献１】特開２００８−１７６１９９号公報
【発明の概要】
【発明が解決しようとする課題】
【０００５】
ここで、プロジェクタの使用中はランプユニットのランプが高温になるため、ランプユニットの交換が必要な場合は、通常はランプを消灯し、ランプが十分に冷えたことを確認した後に、交換作業を行わなければならない。しかし、プロジェクタの使用中にランプが破損したり急激に照度が低下したりするような場合は、すぐにランプユニットの交換をする必要があり、ランプが高温状態のままランプユニットを交換しなければならない。
【０００６】
このような場合に、ランプユニットをプロジェクタから取り外す際に、作業者がランプユニットの取手部を掴んで抜き出す。そして、プロジェクタから取り外されたランプユニットは、作業者により任意の場所に置かれる。しかし、従来のランプユニットは、取り外し後に置かれたランプユニットの安定性について考えられておらず、ランプユニットが後方に倒れるおそれがある。もしランプユニットが後方に倒れた場合は、高温状態のランプの外周面が設置面（例えば、机の上面）に接触し、その設置面が高温に晒されてしまう。たとえば、従来のランプユニットをコンパクト化するために、その前側部分を薄型化すると、ランプユニットはさらに後方に倒れやすくなる。
【０００７】
上記課題を解決するための本発明は、ランプユニットを交換する際に、作業者がプロジェクタから取り外して任意の場所に置いても、ランプユニットが置かれた場所に高温のランプが接触する事態が発生することを抑制できるランプユニットを提供することを目的とする。
【課題を解決するための手段】
【０００８】
本発明のランプユニットは、プロジェクタに着脱可能に設けられるランプユニットであって、プロジェクタの光源として機能するランプと、ランプを保持するランプホルダと、ランプホルダに一体化され、当該ランプユニットをプロジェクタから取り外す際に使用される取手部と、プロジェクタから取り外した当該ランプユニットを置くために使用され、当該ランプユニットを下方から支持する支持部とを備え、支持部は、当該ランプユニットの前側で該ランプユニットを支持する前側支持部と、ランプの後方に設けられ、当該ランプユニットを前方から正面視した場合にランプの外周よりも外側に位置する先端で当該ランプユニットを支持する後側支持部とを有する。
【０００９】
例えば、後側支持部は、ランプのバルブの取付孔の部位を遮蔽するように設けられていてもよい。また、例えば、支持部は、３個以上の突起部により当該ランプユニットを支持してもよい。
【００１０】
例えば、取手部は、ランプホルダに対して着脱自在であってもよい。また、例えば、ランプホルダに固定され、当該ランプユニットがプロジェクタに取り付けられた状態で該プロジェクタの外装面の一部を構成するランプ蓋をさらに備え、取手部は、ランプ蓋に固定され又は形成されていてもよい。また、例えば、ランプホルダは、ランプを保持するホルダ本体が耐熱性樹脂または金属材料で構成され、ホルダ本体から後方に延びてランプの外周面に対面する対面部が、耐熱性樹脂で構成されていてもよい。また、例えば、支持部は、３個以上の突起部により当該ランプユニットを支持し、ランプホルダのホルダ本体に少なくとも１個以上設けられた突起部は、プロジェクタにおける当該ランプユニットの設置箇所に設けられた基準穴に挿入される基準ピンとして機能させてもよい。
【発明の効果】
【００１１】
ランプユニットの交換の際、取手を掴んだ状態のままでもテーブル等に置くことができ、また取手以外を持つ必要がなくなるため、ランプが高温状態のままでも安全にランプユニットを交換することができる。
【図面の簡単な説明】
【００１２】
【図１】実施の形態に係るプロジェクタの概略構成図
【図２】本発明の一態様である第１の実施の形態におけるランプユニットの概略構成図
【図３】本発明の一態様である第１の実施の形態におけるランプユニットの取り付けに関する概略構成図
【図４】本発明の一態様である第２の実施の形態におけるランプユニットの概略構成図
【図５】本発明の一態様である第２の実施の形態におけるランプユニットの取り付けに関する概略構成図
【図６】本発明の一態様である第３の実施の形態におけるランプユニットの概略構成図
【図７】本発明の一態様である第３の実施の形態におけるランプユニットの取り付けに関する概略構成図
【図８】本発明の一態様である第４の実施の形態におけるランプユニットの概略構成図
【図９】本発明の一態様である第４の実施の形態におけるランプユニットの取り付けに関する概略構成図
【図１０】本発明の一態様である第５の実施の形態におけるランプ蓋一体のランプユニットの概略構成図
【図１１】本発明の一態様である第５の実施の形態におけるランプ蓋一体のランプユニットの取り付けに関する概略構成図
【図１２】本発明の一態様である第６の実施の形態におけるランプ蓋一体のランプユニットの概略構成図
【図１３】本発明の一態様である第６の実施の形態におけるランプ蓋一体のランプユニットの取り付けに関する概略構成図
【図１４】本発明の一態様である第７の実施の形態におけるランプユニットの概略構成図
【図１５】本発明の一態様である第８の実施の形態におけるランプユニットの概略構成図
【発明を実施するための形態】
【００１３】
以下に本発明の実施の形態について、図面を参照しながら説明する。
【００１４】
（第１の実施の形態）
図１は、プロジェクタの構成を示す概略図である。
【００１５】
プロジェクタは、ランプ１００（例えば、水銀ランプ）等を有するランプユニット１０と、光源となるランプ１００からの光を平行光とする照明光学系３０と、照明光学系３０からの平行光を画像情報に応じて変調して画像投影光を生成する画像表示系と、画像投影光をスクリーンに投写する投写光学系とを備えている。照明光学系３０は、ランプユニット１０から投射された光をレンズアレイ３０１により平行な光とし、偏光変換素子３０２にて１方向の直線偏光に変換し、ダイクロミラー３０３（ダイクロイックミラー）によってＲＧＢの３色に分離する。画像表示系は、照明光学系３０により分離された各色の光を画像情報に応じて変調し、画像投影光を形成する画像形成装置４０を備えている。投写光学系は、投射レンズ５０によりスクリーン上に映像を映し出す。第１の実施の形態における画像形成装置４０は、透過型の液晶パネルで構成される。
【００１６】
図２は、第１の実施の形態におけるランプユニット１０の概略構成図である。同図（ａ）は、取手部１０８側からランプユニット１０を見た斜視図であり、同図（ｂ）は、同図（ａ）を逆さにした斜視図である。図３は、第１の実施の形態におけるランプユニット１０の取り付けに関する概略構成図である。同図（ａ）は、ランプハウス３００を上から見た斜視図であり、同図（ｂ）は、ランプユニット１０を取り出した後のランプハウス３００の内側の斜視図である。プロジェクタは、ランプユニット１０と照明光学系３０とが、分離可能な構造となっている。照明光学系３０は、ランプハウス３００に一体化されている。ランプハウス３００は、一端が開放された箱体であり、その一端側（図３（ａ）の上側）からランプユニット１０を出し入れできる。ランプハウス３００にランプユニット１０を収容した後は、ランプ蓋（図示省略）が閉じられる。プロジェクタは、ランプ１００の寿命がきた場合には、プロジェクタの外装面の一部を構成する上記ランプ蓋をあけて、ランプユニット１０を取り出すことで、作業者によりランプユニット１０を交換することが可能になっている。ランプユニット１０がランプハウス３００の中に収納されている状態では、ランプハウス３００によって、ランプ１００からの光が遮光され、ランプ１００が発する熱が遮熱される。また、この状態では、ランプユニット１０の出射光が照明光学系３０に入射する。
【００１７】
ランプユニット１０は、プロジェクタの光源として機能するランプ１００と、ランプ１００の出射光を集光する集光レンズ１０１と、ランプ１００及び集光レンズ１０１を保持するランプホルダ１０２，１０３と、ランプユニット１０をプロジェクタに着脱するための取手部１０８と、プロジェクタから取り外したランプユニット１０を置くために使用されてランプユニット１０を下方から支持する支持部２５１，２５２とを備えている。ランプホルダ１０２，１０３は、ランプ１００と集光レンズ１０１を保持するホルダ本体１０２と、ホルダ本体１０２から後方へ延びてランプ１００の外周面に対面する対面部１０３とを備えている。ホルダ本体１０２は、ランプ１００の熱を受けるため、ポリフェニレンサルファイド樹脂（ＰＰＳ）や液晶ポリマー（ＬＣＰ）等の耐熱性の高い樹脂や、熱伝導の良いアルミダイキャスト等の金属材料にて構成されている。ランプ１００を保持するために、ホルダ本体１０２は、４隅にバネ材等の金属部品であるランプバネ１０４によって押し当てて、ランプ１００が取り付けられている。また、集光レンズ１０１は、ランプ１００と反対側からホルダ本体１０２に取り付けられている。集光レンズ１０１は、ランプバネ１０４と同じように、バネ材等の金属部品であるレンズバネ１０５によって押し当てて、ホルダ本体１０２に取り付けられている。対面部１０３は、ランプ１００からの熱を遮断し、ランプ１００の電力を供給するソケット１０６を保持する。ソケット１０６は、対面部１０３の後方に設けられている。対面部１０３は、ホルダ本体１０２に対してネジなどによって取り付けられている。つまり、対面部１０３は、ホルダ本体１０２に一体化されている。対面部１０３におけるランプ１００と反対側の面（図２（ａ）において上面）には、作業者がランプユニット１０を交換する際に手で掴むことができる上記取手部１０８が設けられている。取手部１０８は、対面部１０３に一体化されている。この対面部１０３は、作業者が取手部１０８を手で掴むことができるように、ＰＰＳやＬＣＰ等の耐熱性が高く熱伝導性が低い樹脂で構成されている。
【００１８】
図３（ａ）に示すように、照明光学系３０とランプユニット１０との位置の規制のために、照明光学系３０に２つの基準ピン１１１が設けられ、ランプユニット１０側の２つの基準穴１１２に２つの基準ピン１１１を合わせることで、照明光学系３０に対するランプユニット１０の位置決めが行われる。２つの基準穴１１２は、ランプハウス３００の前壁の上面に形成されている。照明光学系３０とランプユニット１０は、ネジ止めによって互いに固定される。
【００１９】
ランプユニット１０の挿入に関して、照明光学系３０の２つの基準ピン１１１をランプユニット１０の２つの基準穴１１２にスムーズに合わせるために、照明光学系３０には、ランプユニット１０の挿入を補助するために２つのガイド溝１１０が設けられている。ガイド溝１１０は、ランプハウス３００の側壁の内側に１つずつ設けられている。ランプユニット１０のホルダ本体１０２には、ガイド溝１１０に対応する位置に２つのガイドリブ１０９が設けられている。各ガイド溝１１０に各ガイドリブ１０９を合わせることで、スムーズにランプユニット１０を着脱することができる。
【００２０】
支持部２５１，２５２は、ランプユニット１０の前側でランプユニット１０を支持する前側支持部２５１と、ランプユニット１０の後側でランプユニット１０を支持する後側支持部２５２とを有する。前側支持部２５１は、ホルダ本体１０２の外面から突出する２つの突起部１０７を有している。前側支持部２５１は、ランプユニット１０を前方から正面視した場合（つまり、ランプユニット１０の光の出射側からランプ１００の光軸に沿ってランプユニット１０をみた場合）に、ランプ１００の外周及びホルダ本体１０２の外周よりも外側に位置する突起部１０７の先端で、ランプユニット１０を支持する。一方、後側支持部２５２は、ランプ１００の後方に設けられている。後側支持部２５２は、ホルダ側対面部１０３のランプ１００側の面に立設された板状部２５３と、その板状部２５３の先端面から突出する突起部１０７とを有している。後側支持部２５２は、ランプユニット１０を前方から正面視した場合に、ランプ１００の外周及びホルダ本体１０２の外周よりも外側に位置する突起部１０７の先端で、ランプユニット１０を支持する。また、板状部２５３は、後述するランプ１００のバルブの取付孔の部位を遮蔽するように設けられている。
【００２１】
具体的に、ランプ１００は、バルブ（図示省略）と、リフレクタ２６０と、出射光透過部（図示省略）とを備えている。出射光透過部は、ランプ１００の前面を構成し、例えばガラスにより構成されている。出射光透過部は、バルブが発する光を透過させる。リフレクタ２６０は、出射光透過部の外周に接合され、出射光透過部から離れるに従って窄まる形状を有している。リフレクタ２６０は、例えば、紫外線の透過を防止する処理が施されたガラスにより構成され、バルブが発する光を出射光透過部側へ反射する。ランプ１００では、リフレクタ２６０の後端に、バルブの取付孔が形成されたバルブ取付部２６１が設けられている。バルブは、この取付孔を通して、ランプ１００の内側に取り付けられる。この取付孔は、バルブを取り付けた後に、例えば蓋材などで覆ったり、セメントなどを内部に充填したりして塞がれる。
【００２２】
ここで、バルブが発する紫外線は、蓋材やセメントなどの閉塞部材を透過する。そのため、第１の実施の形態では、ランプ１００のバルブの取付孔の部位を遮蔽する後側支持部２５２の板状部２５３により、紫外線を遮断している。板状部２５３は、バルブの取付孔の直径よりも幅が大きく、対面部１０３の幅方向に延びている。板状部２５３は、ランプ１００からの熱伝達を抑制するために、バルブの取付孔から少しだけ離れている。つまり、板状部２５３は、バルブの取付孔に近接している。板状部２５３は、紫外線を遮断するだけでなく、作業者が、高温のランプ１００の後端に接触することも防止できる。第１の実施の形態では、さらに、板状部２５３の幅方向の両端からそれぞれ前方へ延びる側方側遮蔽壁２６５が設けられている。
【００２３】
支持部２５１，２５２は、ランプ対面部１０３の取手部１０８と反対側に、ホルダ本体１０２または対面部１０３に３つ以上の突起部１０７を有している。これらの突起部１０７は、ランプハウス３００に突起部１０７と同数形成された突起部逃げ穴１１４へそれぞれ挿入される。そのため、各突起部１０７は、ランプ１００の点灯中に、ランプ１００からの熱を直接受けにくくなっているため、温度上昇が抑制される。各突起部１０７の先端は、先が細くテーパ状になっており、先端面の面積が小さくなっている。また、これらの突起部１０７の先端は、同じ平面上にある。この平面は、例えばランプ１００の光軸に略平行である。そのため、突起部１０７を下にした場合に、ランプユニット１０をバランスよく支持することができる。なお、突起部１０７の数は、３つに限定されず、４つ以上であってもよい。突起部１０７の数が４つの場合に、例えば、前側支持部２５１が２つの突起部１０７を有し、後側支持部２５２が２つの突起部１０７を有していてもよい。
【００２４】
さらに、ランプユニット１０が大きく、照明光学系３０にねじ止めされたランプユニット１０の倒れが懸念される場合、ホルダ本体１０２にある突起部１０７の１つを倒れ防止基準ピン１１５として使用し、照明光学系３０側の突起部逃げ穴１１４の１つを倒れ防止基準穴１１６に使用してもよい。これにより、ランプユニット１０の倒れが抑制される。
【００２５】
以上の構成により、ランプユニット１０を交換する場合には、ランプ蓋をあけてランプユニット１０の取手部１０８を掴んでランプユニット１０を取り出し、取手部１０８を掴んだまま取手部１０８の反対側を下向きにして、机などにランプユニット１０を置くことができる。つまり、支持部２５１，２５２が、ランプ１００に対して取手部１０８の反対側でランプユニット１０を支持している。そのため、作業者は、取手部１０８から取手部１０８以外の部位に、取り外したランプユニット１０を持ち直すことなく机などに置くことができる。なお、支持部２５１，２５２がランプ１００に対して取手部１０８の反対側でランプユニット１０を支持するのではなく、ランプ１００の光軸を基準にして取手部１０８が設けられた方向に対して、９０度以上１８０度未満の所定の角度だけ回転させた方向で、支持部２５１，２５２がランプユニット１０を支持してもよい。例えば、９０度回転させた方向で支持部２５１，２５２がランプユニット１０を支持する場合は、図２（ａ）におけるランプ１００の側方に支持部２５１，２５２が設けられる。また、ランプユニット１０は、作業者がランプユニット１０を置いた設置面に対して、突起部１０７の先端だけが設置面に接触するため、ランプユニット１０から設置面への熱伝達が抑制される。
【００２６】
（第２の実施の形態）
第２の実施の形態における、プロジェクタの構成は、実施の形態１と同じ構成のため、詳細は省略する。
【００２７】
図４は、第２の実施の形態２におけるランプユニット１０の概略構成図である。同図（ａ）は、取手部１０８側からランプユニット１０を見た斜視図であり、同図（ｂ）は、同図（ａ）を逆さにした斜視図である。図５は、第２の実施の形態におけるランプユニット１０の取り付けに関する概略構成図である。同図（ａ）は、ランプハウス３００を上から見た斜視図であり、同図（ｂ）は、ランプユニット１０を取り出した後のランプハウス３００の内側の斜視図である。プロジェクタは、ランプユニット１０と照明光学系３０とが、分離可能な構造となっている。ランプ１００の寿命がきた場合には、プロジェクタの外装面の一部を構成するランプ蓋（図示省略）をあけて、ランプユニット１０を取り出すことで、作業者によりランプユニット１０を交換することが可能になっている。ランプユニット１０は、ランプハウス３００の中に収納されている。ランプハウス３００によってランプ１００からの光が遮光され、ランプ１００が発する熱が遮熱される。
【００２８】
ランプユニット１０は、ランプ１００と集光レンズ１０１とランプホルダ１０２，１０３と取手部１０８と支持部２５１，２５２とを備えている。ランプ１００と集光レンズ１０１は、ランプホルダ１０２，１０３のホルダ本体１０２によって保持されている。ホルダ本体１０２は、ランプ１００の熱を受けるため、ＰＰＳやＬＣＰ等の耐熱性の高い樹脂や、熱伝導の良いアルミダイキャスト等の金属材料にて構成されている。ランプ１００を保持するために、ホルダ本体１０２は、４隅にバネ材等の金属部品であるランプバネ１０４によって押し当てて、ランプ１００が取り付けられている。また、集光レンズ１０１は、ランプ１００と反対側からホルダ本体１０２に取り付けられている。集光レンズ１０１は、ランプバネ１０４と同じように、バネ材等の金属部品であるレンズバネ１０５によって押し当てて、ホルダ本体１０２に取り付けられている。ランプホルダ１０２，１０３の対面部１０３は、ランプ１００からの熱を遮断する。また、対面部１０３は、ランプ１００の電力を供給するソケット１０６を保持する。対面部１０３は、ホルダ本体１０２に対してネジなどによって取り付けられている。対面部１０３におけるランプ１００と反対側の面（図４（ａ）において上面）には、作業者がランプユニット１０を交換する際に手で掴むことができる上記取手部１０８が設けられている。この対面部１０３は、作業者が手で取手部１０８を掴むことができるように、ＰＰＳやＬＣＰ等の耐熱性が高く熱伝導性が低い樹脂で構成されている。
【００２９】
対面部１０３の取手部１０８と反対側では、ホルダ本体１０２に２つの突起部兼基準ピン１１７が設けられ、対面部１０３に１つの突起部１０７が設けられている。２つの突起部兼基準ピン１１７は、前側支持部２５１を構成している。１つの突起部１０７は、板状部２５３と共に、後側支持部２５２を構成している。前側支持部２５１および後側支持部２５２は、共に、ランプユニット１０を前方から正面視した場合に、ランプ１００の外周及びホルダ本体１０２の外周よりも外側に位置する突起部１１７，１０７の先端で、ランプユニット１０を支持する。第２の実施の形態では、第１の実施の形態とは異なり、図５（ａ）に示すように、このホルダ本体１０２の２つの突起部兼基準ピン１１７が、照明光学系３０とランプユニット１０との位置規制に使用される。照明光学系３０側に、２つの突起部兼基準ピン１１７を挿入する２つの基準穴１１２を設けることで、照明光学系３０に対するランプユニット１０の位置決めを行うことができる。対面部１０３側にある１つの突起部１０７は、ランプハウス３００の底面に形成された突起部逃げ穴１１４に挿入される。これら２つの突起部兼基準ピン１１７と１つの突起部１０７は、ランプ１００からの熱を直接受けにくくなっている。さらに、突起部兼基準ピン１１７と突起部１０７の先端は、先が細くテーパ状になっており、先端面の面積が小さくなっている。また、突起部兼基準ピン１１７の先端と突起部１０７の先端は同じ平面上にある。そのため、突起部兼基準ピン１１７と突起部１０７の先端を下にした場合に、ランプユニット１０をバランスよく支持することができる。
【００３０】
さらに、ランプユニット１０が大きく、照明光学系３０にねじ止めされたランプユニット１０の倒れが懸念される場合、ホルダ本体１０２の取手部１０８側に倒れ防止基準穴１１６を設け、その倒れ防止基準穴１１６を照明光学系３０側の倒れ防止基準ピン１１５に合わせてもよい。これにより、ランプユニット１０の倒れが抑制される。
【００３１】
ランプユニット１０の挿入に関して、２つの突起部兼基準ピン１１７を２つの基準穴１１２にスムーズに合わせるために、照明光学系３０には、ランプユニット１０の挿入を補助するために２つのガイド溝１１０が設けられている。ランプユニット１０のホルダ本体１０２側に設けられた２つのガイドリブ１０９を２つのガイド溝１１０に合わせることで、スムーズにランプユニット１０を着脱することができる。
【００３２】
以上の構成により、ランプユニット１０を交換する場合には、ランプ蓋をあけてランプユニット１０の取手部１０８を掴んでランプユニット１０を取り出し、取手部１０８を掴んだまま取手部１０８の反対面側を下向きにして机などにランプユニット１０を置くことができる。
【００３３】
（第３の実施の形態）
第３の実施の形態における、プロジェクタの構成は、実施の形態１と同じ構成のため、詳細は省略する。
【００３４】
図６は、第３の実施の形態におけるランプユニット１０の概略構成図である。同図（ａ）は、取手部１０８側からランプユニット１０を見た斜視図であり、同図（ｂ）は、同図（ａ）を逆さにした斜視図である。図７は、第３の実施の形態におけるランプユニット１０の取り付けに関する概略構成図である。同図（ａ）は、ランプハウス３００を上から見た斜視図であり、同図（ｂ）は、ランプユニットを取り出した後のランプハウス３００の内側の斜視図である。プロジェクタは、ランプユニット１０と照明光学系３０とが、分離可能な構造となっている。ランプ１００の寿命がきた場合には、プロジェクタの外装面の一部を構成するランプ蓋（図示省略）をあけて、ランプユニット１０を取り出すことで、作業者によりランプユニット１０を交換することが可能になっている。ランプユニット１０は、ランプハウス３００の中に収納されている。ランプハウス３００によってランプ１００からの光が遮光され、ランプ１００が発する熱が遮熱される。
【００３５】
ランプユニット１０は、ランプ１００と集光レンズ１０１とランプホルダ１０２，１０３と取手部１０８と支持部２５１，２５２とを備えている。ランプ１００と集光レンズ１０１は、ランプホルダ１０２，１０３のホルダ本体１０２によって保持されている。ホルダ本体１０２は、ランプ１００の熱を受けるため、ＰＰＳやＬＣＰ等の耐熱性の高い樹脂や、熱伝導の良いアルミダイキャスト等の金属材料にて構成されている。ランプ１００を保持するために、ホルダ本体１０２は、４隅にバネ材等の金属部品であるランプバネ１０４によって押し当てて、ランプ１００が取り付けられている。また、集光レンズ１０１は、ランプ１００と反対側からホルダ本体１０２に取り付けられている。集光レンズ１０１は、ランプバネ１０４と同じように、バネ材等の金属部品であるレンズバネ１０５によって押し当てて、ホルダ本体１０２に取り付けられている。ランプホルダ１０２，１０３の対面部１０３は、ランプ１００からの熱を遮断する。対面部１０３は、ランプ１００の電力を供給するソケット１０６を保持する。対面部１０３は、ホルダ本体１０２に対してネジなどによって取り付けられている。この対面部１０３は、ランプ１００の熱を直接受けるため、ＰＰＳやＬＣＰ等の耐熱性の高い樹脂で構成されている。また、対面部１０３のランプ１００と反対側の面（図６（ａ）において上面）には、作業者がランプユニット１０を交換する際に手で掴むことができるランプ取手１１３が、別部品として設けられている。ランプ取手１１３は、取手部１０８を備えている。ランプ取手１１３は、例えば、ランプユニット１０の使用中は取り外され、ランプユニット１０を交換する際に対面部１０３に取り付けられる。このランプ取手１１３は、セット（ランプ点灯）使用直後でも作業者が直接手で掴むことができるように、熱伝導性が低いＰＣ＋ＡＢＳ等の樹脂で構成されている。
【００３６】
図７（ａ）に示すように、照明光学系３０とランプユニット１０との位置の規制のためには、照明光学系３０に２つの基準ピン１１１が設けられ、ランプユニット１０側の２つの基準穴１１２に２つの基準ピン１１１を合わせることで、照明光学系３０に対するランプユニット１０の位置決めが行われる。照明光学系３０とランプユニット１０は、ネジ止めによって互いに固定される。
【００３７】
ランプユニット１０の挿入に関して、照明光学系３０の２つの基準ピン１１１をランプユニット１０の２つの基準穴１１２にスムーズに合わせるために、照明光学系３０には、ランプユニット１０の挿入を補助するために２つのガイド溝１１０が設けられている。ランプユニット１０のホルダ本体１０２側に設けられた２つのガイドリブ１０９を２つのガイド溝１１０に合わせることで、スムーズにランプユニット１０を着脱することができる。
【００３８】
ランプ取手１１３と反対面側では、ホルダ本体１０２またはランプ対面部１０３に３つ以上の突起部１０７が設けられている。ホルダ本体１０２の２つの突起部１０７は、前側支持部２５１を構成している。板状部２５３の先端面の１つの突起部１０７は、その板状部２５３と共に、後側支持部２５２を構成している。これらの突起部１０７は、ランプハウス３００の突起部逃げ穴１１４へそれぞれ挿入される。そのため、各突起部１０７は、ランプ１００の点灯中に、ランプ１００からの熱を直接受けにくくなっているため、温度上昇が抑制される。各突起部１０７の先端は、先が細くテーパ状になっており、先端面の面積が小さくなっている。また、これらの突起部１０７の先端は、同じ平面上にある。そのため、突起部１０７を下にした場合に、ランプユニット１０をバランスよく支持することができる。
【００３９】
さらに、ランプユニット１０が大きく、照明光学系３０にねじ止めされたランプユニット１０の倒れが懸念される場合、ホルダ本体１０２にある突起部１０７の１つを倒れ防止基準ピン１１５として使用し、照明光学系３０側の突起部逃げ穴１１４の１つを倒れ防止基準穴１１６に使用してもよい。これにより、ランプユニット１０の倒れが抑制される。
【００４０】
以上の構成により、ランプユニット１０を交換する場合には、ランプ蓋をあけてランプユニット１０のランプ取手１１３の取手部１０８を掴んでランプユニット１０を取り出し、取手部１０８を掴んだまま取手部１０８の反対面側を下向きにして、机などにランプユニット１０を置くことができる。
【００４１】
（第４の実施の形態）
第４の実施の形態における、プロジェクタの構成は、実施の形態１と同じ構成のため、詳細は省略する。
【００４２】
図８は、第４の実施の形態におけるランプユニット１０の概略構成図である。同図（ａ）は、取手部１０８側からランプユニット１０を見た斜視図であり、同図（ｂ）は、同図（ａ）を逆さにした斜視図である。図９は、第４の実施の形態におけるランプユニット１０の取り付けに関する概略構成図である。同図（ａ）は、ランプハウス３００を上から見た斜視図であり、同図（ｂ）は、ランプユニットを取り出した後のランプハウス３００の内側の斜視図である。
【００４３】
ランプユニット１０と照明光学系３０とは、分離可能な構造となっている。ランプ１００の寿命がきた場合には、プロジェクタの外装面の一部を構成するランプ蓋（図示省略）をあけて、ランプユニット１０を取り出すことで、作業者によりランプユニット１０を交換することが可能になっている。ランプユニット１０は、ランプハウス３００の中に収納されている。ランプハウス３００によってランプ１００からの光が遮光され、ランプ１００が発する熱が遮熱される。
【００４４】
ランプユニット１０は、ランプ１００と集光レンズ１０１とランプホルダ１０２，１０３と取手部１０８と支持部２５１，２５２とを備えている。ランプ１００と集光レンズ１０１は、ランプホルダ１０２，１０３のホルダ本体１０２によって保持されている。ホルダ本体１０２は、ランプ１００の熱を受けるため、ＰＰＳやＬＣＰ等の耐熱性の高い樹脂や、熱伝導の良いアルミダイキャスト等の金属材料にて構成されている。ランプ１００を保持するために、ホルダ本体１０２は、４隅にバネ材等の金属部品であるランプバネ１０４によって押し当てて、ランプ１００が取り付けられている。また、集光レンズ１０１は、ランプ１００と反対側からホルダ本体１０２に取り付けられている。集光レンズ１０１は、ランプバネ１０４と同じように、バネ材等の金属部品であるレンズバネ１０５によって押し当てて、ホルダ本体１０２に取り付けられている。ランプホルダ１０２，１０３の対面部１０３は、ランプ１００からの熱を遮断する。また、対面部１０３は、ランプ１００の電力を供給するソケット１０６を保持する。対面部１０３は、ホルダ本体１０２に対してネジなどによって取り付けられている。この対面部１０３は、ランプ１００の熱を直接受けるため、ＰＰＳやＬＣＰ等の耐熱性の高い樹脂で構成されている。また、対面部１０３のランプ１００と反対側の面（図８（ａ）において上面）には、作業者がランプユニット１０を交換する際に手で掴むことができるランプ取手１１３が、別部品として設けられている。ランプ取手１１３は、第３の実施の形態と同様に、対面部１０３に対して着脱自在になっている。このランプ取手１１３の取手部１０８は、セット（ランプ点灯）使用直後でも作業者が直接手で掴むことができるように、熱伝導性が低いＰＣ＋ＡＢＳ等の樹脂で構成されている。
【００４５】
ランプ取手１１３と反対面側では、ホルダ本体１０２に２つの突起部兼基準ピン１１７が設けられ、対面部１０３に立設された板状部２５３の先端に、１つの突起部１０７が設けられている。２つの突起部兼基準ピン１１７および１つの突起部１０７は、第２の実施の形態と同様の支持部２５１，２５２を構成している。第４の実施の形態では、第３の実施の形態とは異なり、図９（ａ）に示すように、このホルダ本体１０２の２つの突起部兼基準ピン１１７が、照明光学系３０とランプユニット１０との位置規制に使用される。照明光学系３０側には、２つの突起部兼基準ピン１１７を挿入する２つの基準穴１１２を設けることで、照明光学系３０に対するランプユニット１０の位置決めを行うことができる。対面部１０３側にある１つの突起部１０７は、ランプハウス３００の底面に形成された突起部逃げ穴１１４に挿入される。これら２つの突起部兼基準ピン１１７と１つの突起部１０７は、ランプ１００からの熱を直接受けにくくなっている。さらに、突起部兼基準ピン１１７の先端と突起部１０７の先端は、先が細くテーパ状になっており、先端面の面積が小さくなっている。また、突起部兼基準ピン１１７の先端と突起部１０７の先端は同じ平面上にある。そのため、突起部兼基準ピン１１７と突起部１０７の先端を下にした場合に、ランプユニット１０をバランスよく支持することができる。
【００４６】
さらに、ランプユニット１０が大きく、照明光学系３０にねじ止めされたランプユニット１０の倒れが懸念される場合、ホルダ本体１０２の取手部１０８側に倒れ防止基準穴１１６を設け、その倒れ防止基準穴１１６を照明光学系３０側の倒れ防止基準ピン１１５に合わせてもよい。これにより、ランプユニット１０の倒れが抑制される。
【００４７】
ランプユニット１０の挿入に関して、２つ突起部兼基準ピン１１７を２つの基準穴１１２にスムーズに合わせるために、照明光学系３０には、ランプユニット１０の挿入を補助するために２つのガイド溝１１０が設けられている。ランプユニット１０のホルダ本体１０２側に設けられた２つのガイドリブ１０９を２つのガイド溝１１０に合わせることで、スムーズにランプユニット１０を着脱することができる。
【００４８】
以上の構成により、ランプユニット１０を交換する場合には、ランプ蓋をあけてランプユニット１０のランプ取手１１３の取手部１０８を掴んでランプユニット１０を取り出し、取手部１０８を掴んだまま取手部１０８の反対面側を下向きにして、机などにランプユニット１０を置くことができる。
【００４９】
（第５の実施の形態）
第５の実施の形態における、プロジェクタの構成は、実施の形態１と同じ構成のため、詳細は省略する。
【００５０】
図１０は、第５の実施の形態におけるランプ蓋一体のランプユニット２０（以下、ランプユニット２０）の概略構成図である。同図（ａ）は、取手部１０８側から見たランプユニット２０の斜視図であり、同図（ｂ）は、同図（ａ）を逆さにした斜視図である。図１１は、第５の実施の形態におけるランプユニット２０の取り付けに関する概略構成図である。同図（ａ）は、ランプハウス３００を上から見た斜視図であり、同図（ｂ）は、ランプユニットを取り出した後のランプハウス３００の内側の斜視図である。
【００５１】
ランプユニット２０と照明光学系３０とは、分離可能な構造となっている。ランプ１００の寿命がきた場合には、ランプユニット２０を取り出すことで、作業者によりランプユニット２０を交換することが可能になっている。ランプユニット２０の本体側は、ランプハウス３００の中に収納されている。ランプハウス３００によって、ランプ１００からの光が遮光され、ランプ１００が発する熱が遮熱される。
【００５２】
ランプユニット２０は、ランプ１００と集光レンズ１０１とランプホルダ１０２，１０３と取手部１０８と支持部２５１，２５２とを備えている。ランプ１００と集光レンズ１０１は、ランプホルダ１０２，１０３のホルダ本体１０２によって保持されている。ホルダ本体１０２は、ランプの熱を受けるため、ＰＰＳやＬＣＰ等の耐熱性の高い樹脂や、熱伝導の良いアルミダイキャスト等の金属材料にて構成されている。ランプ１００を保持するために、ホルダ本体１０２は、４隅にバネ材等の金属部品であるランプバネ１０４によって押し当てて、ランプ１００が取り付けられている。
【００５３】
また、集光レンズ１０１は、ランプ１００と反対側からホルダ本体１０２に取り付けられている。集光レンズ１０１は、ランプバネ１０４と同じように、バネ材等の金属部品であるレンズバネ１０５によって押し当てて、ホルダ本体１０２に取り付けられている。ランプホルダ１０２，１０３の対面部１０３は、ランプ１００からの熱を遮断する。また、対面部１０３は、ランプ１００の電力を供給するソケット１０６を保持する。対面部１０３は、ホルダ本体１０２に対してネジなどによって取り付けられている。この対面部１０３は、ランプ１００の熱を直接受けるため、ＰＰＳやＬＣＰ等の耐熱性の高い樹脂で構成されている。また、対面部１０３のランプ１００と反対側の面（図１０（ａ）において上面）には、作業者がランプユニット２０を交換する際に手で掴むことができる取手付ランプ蓋２１が、別部品として設けられている。取手付ランプ蓋２１は、プロジェクタの外装面の一部を構成する。この取手付ランプ蓋２１は、セット（ランプ点灯）使用直後でも作業者が直接手で掴むことができるように、熱伝導性が低いＰＣ＋ＡＢＳ等の樹脂で構成されている。また、ホルダ本体１０２と取手付ランプ蓋２１の間には、アルミ等の板金等で構成される遮熱板２０２が設けられ、その遮熱板２０２によってランプ１００からの熱を遮断している。
【００５４】
図１１（ａ）に示すように、照明光学系３０とランプユニット２０との位置の規制のためには、照明光学系３０に２つの基準ピン１１１が設けられ、ランプユニット２０側の２つの基準穴１１２に２つの基準ピン１１１を合わせることで、照明光学系３０に対するランプユニット２０の位置決めが行われる。照明光学系３０とランプユニット２０は、ネジ止めによって互いに固定される。
【００５５】
ランプユニット２０の挿入に関して、照明光学系３０の２つの基準ピン１１１をランプユニット２０の２つの基準穴１１２にスムーズに合わせるために、照明光学系３０には、ランプユニット２０の挿入を補助するために２つのガイド溝１１０が設けられている。ランプユニット２０のホルダ本体１０２側には、ガイド溝１１０に対応する位置に２つのガイドリブ１０９が設けられている。各ガイド溝１１０に各ガイドリブ１０９を合わせることで、スムーズにランプユニット２０を着脱することができる。
【００５６】
取手付ランプ蓋２１に対して反対面側では、ホルダ本体１０２またはランプ対面部１０３に３つ以上の突起部１０７が設けられている。ホルダ本体１０２の２つの突起部１０７は、前側支持部２５１を構成している。板状部２５３の先端面の１つの突起部１０７は、その板状部２５３と共に、後側支持部２５２を構成している。これらの突起部１０７は、ランプハウス３００の突起部逃げ穴１１４へそれぞれ挿入される。そのため、各突起部１０７は、ランプ１００からの熱を直接受けにくくなっている。各突起部１０７の先端は、先が細くテーパ状になっており、先端面の面積が小さくなっている。また、これらの突起部１０７の先端は、同じ平面上にある。そのため、突起部１０７を下にした場合に、ランプユニット２０をバランスよく支持することができる。
【００５７】
さらに、ランプユニット２０が大きく、照明光学系３０にねじ止めされたランプユニット２０の倒れが懸念される場合、ホルダ本体１０２にある突起部１０７の１つを倒れ防止基準ピン１１５として使用し、照明光学系３０側の突起部逃げ穴１１４の１つを倒れ防止基準穴１１６に使用してもよい。これにより、ランプユニット２０の倒れが抑制される。
【００５８】
以上の構成により、ランプユニット２０を交換する場合には、取手付ランプ蓋２１の取手部１０８を掴んでランプユニット２０を取り出し、取手部１０８を掴んだまま取手部１０８の反対面側を下向きにして、机などにランプユニット２０を置くことができる。
【００５９】
（第６の実施の形態）
第６の実施の形態における、プロジェクタの構成は、実施の形態１と同じ構成のため、詳細は省略する。
【００６０】
図１２は、第６の実施の形態におけるランプユニット２０の概略構成図である。同図（ａ）は、取手部１０８側から見たランプユニット２０の斜視図であり、同図（ｂ）は、同図（ａ）を逆さにした斜視図である。図１３は、第６の実施の形態におけるランプユニット２０の取り付けに関する概略構成図である。同図（ａ）は、ランプハウス３００を上から見た斜視図であり、同図（ｂ）は、ランプユニットを取り出した後のランプハウス３００の内側の斜視図である。
【００６１】
ランプユニット２０と照明光学系３０とは、分離可能な構造となっている。ランプの寿命がきた場合には、ランプユニット２０を取り出すことで、作業者によりランプユニット２０を交換することが可能になっている。ランプユニット２０の本体側は、ランプハウス３００の中に収納されている。ランプハウス３００によって、ランプ１００からの光が遮光され、ランプ１００が発する熱が遮熱される。
【００６２】
ランプユニット２０は、ランプ１００と集光レンズ１０１とランプホルダ１０２，１０３と取手部１０８と支持部２５１，２５２とを備えている。ランプ１００と集光レンズ１０１は、ランプホルダ１０２，１０３のホルダ本体１０２によって保持されている。ホルダ本体１０２は、ランプ１００の熱を受けるため、ＰＰＳやＬＣＰ等の耐熱性の高い樹脂や、熱伝導の良いアルミダイキャスト等の金属材料にて構成されている。ランプ１００を保持するために、ホルダ本体１０２は、４隅にバネ材等の金属部品であるランプバネ１０４によって押し当てて、ランプ１００が取り付けられている。また、集光レンズ１０１は、ランプ１００と反対側からホルダ本体１０２に取り付けられている。集光レンズ１０１は、ランプバネ１０４と同じように、バネ材等の金属部品であるレンズバネ１０５によって、ホルダ本体１０２に押し当てて取り付けられている。ランプホルダ１０２，１０３の対面部１０３は、ランプ１００からの熱を遮断する。また、対面部１０３は、ランプ１００の電力を供給するソケット１０６を保持する。対面部１０３は、ホルダ本体１０２に対してネジなどによって取り付けられている。この対面部１０３は、ランプ１００の熱を直接受けるため、ＰＰＳやＬＣＰ等の耐熱性の高い樹脂で構成されている。
【００６３】
また、ランプ対面部１０３のランプ１００と反対側の面（図１２（ａ）において上面）には、作業者がランプユニット２０を交換する際に手で掴むことができる取手付ランプ蓋２１が、別部品として設けられている。取手付ランプ蓋２１は、プロジェクタの外装面の一部を構成する。この取手付ランプ蓋２１は、セット（ランプ点灯）使用直後でも作業者が直接手で掴むことができるように、熱伝導性が低いＰＣ＋ＡＢＳ等の樹脂で構成されている。また、ホルダ本体１０２と取手付ランプ蓋２１の間には、アルミ等の板金等で構成される遮熱板２０２が設けられ、その遮熱板２０２によってランプ１００からの熱を遮断している。
【００６４】
取手付ランプ蓋２１に対して反対面側では、ホルダ本体１０２に２つの突起部兼基準ピン１１７が設けられ、対面部１０３に１つの突起部１０７が設けられている。２つの突起部兼基準ピン１１７および１つの突起部１０７は、第２の実施の形態と同様の支持部２５１，２５２を構成している。第６の実施の形態では、第５の実施の形態とは異なり、図１３（ａ）に示すように、このホルダ本体１０２の２つの突起部兼基準ピン１１７が、照明光学系３０とランプユニット２０との位置規制に使用される。照明光学系３０側には、２つの突起部兼基準ピン１１７を挿入する２つの基準穴１１２を設けることで、照明光学系３０に対するランプユニット２０の位置決めを行うことができる。対面部１０３側にある１つの突起部１０７は、ランプハウス３００の底面に形成された突起部逃げ穴１１４に挿入される。これら２つの突起部兼基準ピン１１７と１つの突起部１０７は、ランプ１００からの熱を直接受けにくくなっている。さらに、突起部兼基準ピン１１７の先端と突起部１０７の先端は、先が細くテーパ状になっており、先端面の面積が小さくなっている。また、突起部兼基準ピン１１７の先端と突起部１０７の先端は、同じ平面上にある。そのため、突起部兼基準ピン１１７と突起部１０７の先端を下にした場合に、ランプユニット２０をバランスよく支持することができる。
【００６５】
さらに、ランプユニット２０が大きく、照明光学系３０にねじ止めされたランプユニット２０の倒れが懸念される場合、ホルダ本体１０２の取手部１０８側に倒れ防止基準穴１１６を設け、その倒れ防止基準穴１１６を照明光学系３０側の倒れ防止基準ピン１１５に合わせてもよい。これにより、ランプユニット２０の倒れが抑制される。
【００６６】
ランプユニット２０の挿入に関して、照明光学系３０の２つの基準ピン１１１をランプユニット２０の２つの基準穴１１２にスムーズに合わせるために、照明光学系３０には、ランプユニット２０の挿入を補助するために２つのガイド溝１１０が設けられている。ランプユニット２０のホルダ本体１０２側に設けられた２つのガイドリブ１０９を２つのガイド溝１１０に合わせることで、スムーズにランプユニット２０を着脱することができる。
【００６７】
以上の構成により、ランプユニット２０を交換する場合には、取手付ランプ蓋２１の取手部１０８を掴んでランプユニット２０を取り出し、取手部１０８を掴んだまま取手部１０８の反対面側を下向きにして、机などにランプユニット２０を置くことができる。
【００６８】
（第７の実施の形態）
第７の実施の形態における、プロジェクタの構成は、実施の形態１と同じ構成のため、詳細は省略する。
【００６９】
図１４は、第７の実施の形態におけるランプユニット２５の概略構成図である。同図（ａ）は、取手部１０８側から見たランプユニット２５の斜視図であり、同図（ｂ）は、同図（ａ）を逆さにした斜視図である。
【００７０】
このランプユニット２５では、支持部２５１，２５２との構成が、上記第１から第６の実施の形態とは異なっている。支持部２５１，２５２以外については、このランプユニット２５は、部材の形状等が若干異なるものの、第１の実施の形態のランプユニット１０とほぼ同じ構成である。前側支持部２５１は、ランプホルダ１０２，１０３のホルダ本体１０２のうち、取手部１０８の反対側の矩形端面（図１４（ａ）において下端面）により構成されている。前側支持部２５１は、上記第１から第６の実施の形態とは異なり、ホルダ本体１０２から少しだけしか突出していない。一方、後側支持部２５２は、前述の第１から第６の実施の形態とは異なり突起部がなく、板状部２５３の先端でランプユニット２５を支持する。
【００７１】
以上の構成により、ランプユニット２５を交換する場合には、対面部１０３の取手部１０８を掴んでランプユニット２５を取り出し、取手部１０８を掴んだまま取手部１０８の反対面側を下向きにして、机などにランプユニット２５を置くことができる。
【００７２】
（第８の実施の形態）
第８の実施の形態における、プロジェクタの構成は、実施の形態１と同じ構成のため、詳細は省略する。
【００７３】
図１５は、第８の実施の形態におけるランプユニット２５の概略構成図である。同図（ａ）は、取手部１０８側から見たランプユニット２５の斜視図であり、同図（ｂ）は、同図（ａ）を逆さにした斜視図である。
【００７４】
このランプユニット２５では、前側支持部２５１の構成が、上記第７の実施の形態とは異なっている。前側支持部２５１は、ランプホルダ１０２，１０３のホルダ本体１０２のうち、取手部１０８の反対側の矩形端面（図１５（ｂ）において上端面）から突出した細長の突条部により構成されている。一方、後側支持部２５２は、前述の第７の実施の形態と同様に突起部がなく、板状部２５３の先端でランプユニット２５を支持する。
【００７５】
以上の構成により、ランプユニット２５を交換する場合には、対面部１０３の取手部１０８を掴んでランプユニット２５を取り出し、取手部１０８を掴んだまま取手部１０８の反対面側を下向きにして、机などにランプユニット２５を置くことができる。
【００７６】
なお、本発明は前述の第１から第６の実施の形態に限定されるものではなく、本発明の目的を達成できる範囲内での変形や改良等は、本発明に含まれるものである。
【００７７】
上記第１から第６の実施の形態に記載のプロジェクタの構成は、透過型の液晶パネルを３つ備える液晶プロジェクタで構成したが、液晶パネルを１つや２つ、４つ以上で構成するプロジェクタや、反射型の液晶パネルを備えたプロジェクタで構成しても良い。
【００７８】
また、画像形成装置として液晶パネルを用いたが、マイクロミラーデバイス（ＤＭＤ）などを用いた画像形成装置を用いても良い。
【００７９】
また、上記第１から第８の実施の形態において、前側支持部２５１と後側支持部２５２とが、プロジェクタユニットを置いた状態の下端で、互いに接続されていてもよい。例えば、第７の実施の形態では、支持部２５１，２５２の支持面は枠状になる。
【００８０】
また、上記第１から第８の実施の形態では、ランプユニットが集光レンズ１０１を備えているが、集光レンズ１０１はランプハウス３００に設けてもよい。
【産業上の利用可能性】
【００８１】
本発明にかかるランプユニットの構成は、作業者がランプ交換時にランプ切れ直後等のランプが熱い状態にあってもランプ交換ができるランプユニット等として利用できる。
【００８２】
また、ランプを多灯使用したセットの場合、１灯でも使用中の場合でも、セットの電源を切ることなく、ランプ交換ができるランプユニット等として利用できる。
【符号の説明】
【００８３】
１０  ランプユニット
２０  ランプユニット
２１  取手付ランプ蓋
３０  照明光学系
４０  画像形成装置（液晶パネル）
５０  投射レンズ
１００  ランプ
１０１  集光レンズ
１０２  ホルダ本体（ランプホルダ）
１０３  対面部（ランプホルダ）
１０４  ランプバネ
１０５  レンズバネ
１０６  ソケット
１０７  突起部
１０８  取手部
１０９  ガイドリブ
１１０  ガイド溝
１１１  基準ピン
１１２  基準穴
１１３  ランプ取手
１１４  突起部逃げ穴
１１５  倒れ防止基準ピン
１１６  倒れ防止基準穴
１１７  突起部兼基準ピン
２０２  遮熱板
２５１  前側支持部
２５２  後側支持部
２５３  板状部
３００  ランプハウス
３０１  レンズアレイ
３０２  偏光変換素子
３０３  ダイクロミラー
【図１】
2013011878.tif 000003
【図２】
2013011878.tif 000004
【図３】
2013011878.tif 000005
【図４】
2013011878.tif 000006
【図５】
2013011878.tif 000007
【図６】
2013011878.tif 000008
【図７】
2013011878.tif 000009
【図８】
2013011878.tif 000010
【図９】
2013011878.tif 000011
【図１０】
2013011878.tif 000012
【図１１】
2013011878.tif 000013
【図１２】
2013011878.tif 000014
【図１３】
2013011878.tif 000015
【図１４】
2013011878.tif 000016
【図１５】
2013011878.tif 000017